(57)【要約】【課題】各聴者の嗜好に応じた選曲が可能であり、また各聴者の嗜好に応じた音響環境下での音楽再生が可能な音楽データ出力方法及び音楽データ出力装置を提供する。【解決手段】記憶された音楽データを読み出して、読み出した音楽データを処理してスピーカ１８１〜１８４に出力する音楽データ出力装置１は、少なくとも１人の聴者を特定する識別情報を受け付ける手段と、音楽データと識別情報とが対応付けられた音楽データファイル１５１から、受け付けた識別情報に対応する音楽データを読み出す手段と、音楽データに基づく音響をスピーカ１８１〜１８４から出力する際の音響設定情報と、識別情報とが対応付けられた音響設定情報ファイル１５２から、受け付けた識別情報に対応する音響設定情報を読み出す音響設定情報読み出し手段と、読み出した音響設定情報を用いて、読み出した音楽データを処理して、スピーカ１８１〜１８４に出力する手段とを備える。【選択図】図１
2007116410.tif 000002
【特許請求の範囲】
【請求項１】
記憶された音楽データを読み出して、読み出した音楽データを処理してスピーカに出力する音楽データ出力方法において、
少なくとも１人の聴者を特定する識別情報を受け付けるステップと、
音楽データと識別情報とが対応付けられた音楽データファイルから、前記受け付けた識別情報に対応する音楽データを読み出すステップと、
音楽データに基づく音響を前記スピーカから出力する際の音響設定情報と識別情報とが対応づけられた音響設定情報ファイルから、前記受け付けた識別情報に対応する音響設定情報を読み出すステップと、
前記読み出した音響設定情報を用いて、前記読み出した音楽データを処理して、前記スピーカに出力するステップと
を備えることを特徴とする音楽データ出力方法。
【請求項２】
記憶された音楽データを読み出して、読み出した音楽データを処理してスピーカに出力する音楽データ出力装置において、
少なくとも１人の聴者を特定する識別情報を受け付ける手段と、
音楽データと識別情報とが対応付けられた音楽データファイルから、前記受け付けた識別情報に対応する音楽データを読み出す手段と、
音楽データに基づく音響を前記スピーカから出力する際の音響設定情報と、識別情報とが対応付けられた音響設定情報ファイルから、前記受け付けた識別情報に対応する音響設定情報を読み出す音響設定情報読み出し手段と、
前記読み出した音響設定情報を用いて、前記読み出した音楽データを処理して、前記スピーカに出力する手段と
を備えることを特徴とする音楽データ出力装置。
【請求項３】
聴者の着座位置に関する情報を受け付ける手段
をさらに備え、
前記音響設定情報ファイルは、識別情報及び着座位置情報に対応づけて音響設定情報が記憶してあり、前記音響設定情報読み出し手段は、前記受け付けた識別情報及び着座位置情報に対応する音響設定情報を前記音響設定情報ファイルから読み出すよう構成してある
ことを特徴とする請求項２に記載の音楽データ出力装置。
【請求項４】
前記音楽データファイル及び前記音響設定情報ファイルを格納する格納部を更に備えることを特徴とする請求項２に記載の音楽データ出力装置。
【発明の詳細な説明】
【技術分野】
【０００１】
本発明は、記憶された音楽データを読み出して、読み出した音楽データを処理してスピーカに出力する音楽データ出力方法及び装置に関する。
【背景技術】
【０００２】
近年多くの音楽データを大容量ハードディスクまたは半導体メモリに記憶しておき、コンパクトディスクを入れ替えることなく、自動車内または家庭内で手軽に音楽の再生を楽しむスタイルが確立している。記憶される音楽データ数は膨大となるため、選曲を効率よく行うために、予め音楽データ毎のジャンルを付与しておき、選択したジャンルに該当する音楽データのみを再生する技術が開示されている（例えば、特許文献１）。
【特許文献１】特開２００４−２１２５８８号公報
【発明の開示】
【発明が解決しようとする課題】
【０００３】
しかしながら、自動車内等の空間では複数の聴者がハードディスク内に音楽データを次々に記憶するため、ハードディスク内の音楽データ数が増加し、特定の聴者が音楽を再生する際の処理が煩雑になるという問題があった。同様にかかる空間は複数の聴者が音楽データの再生を楽しむものであるところ、同一音響設定での音楽の再生が行われているにすぎなかった。
【０００４】
特に、自動車内または家庭内等の空間においては、聴者の着座位置がその都度変わるため、着座位置によっては、最適な状態での音楽の再生が行われていないという問題があった。
【０００５】
本発明は斯かる事情に鑑みてなされたものであり、本発明の目的は、聴者を特定する識別情報を用いた音楽データの処理を行うことにより、各聴者の嗜好に応じた選曲が可能であり、また各聴者の嗜好に応じた音響環境下での音楽再生が可能な音楽データ出力方法及び音楽データ出力装置を提供することにある。
【０００６】
また、本発明の目的は、聴者の着座位置に関する情報を用いて処理を行うことにより、聴者の着座位置に応じた、音響環境を確立することが可能な音楽データ出力方法及び音楽データ出力装置を提供することにある。
【課題を解決するための手段】
【０００７】
本発明に係る音楽データ出力方法は、記憶された音楽データを読み出して、読み出した音楽データを処理してスピーカに出力する音楽データ出力方法において、少なくとも１人の聴者を特定する識別情報を受け付けるステップと、音楽データと識別情報とが対応付けられた音楽データファイルから、受け付けた識別情報に対応する音楽データを読み出すステップと、音楽データに基づく音響をスピーカから出力する際の音響設定情報と識別情報とが対応づけられた音響設定情報ファイルから、受け付けた識別情報に対応する音響設定情報を読み出すステップと、読み出した音響設定情報を用いて、読み出した音楽データを処理して、スピーカに出力するステップとを備えることを特徴とする。
【０００８】
本発明に係る音楽データ出力装置は、記憶された音楽データを読み出して、読み出した音楽データを処理してスピーカに出力する音楽データ出力装置において、少なくとも１人の聴者を特定する識別情報を受け付ける手段と、音楽データと識別情報とが対応付けられた音楽データファイルから、受け付けた識別情報に対応する音楽データを読み出す手段と、音楽データに基づく音響をスピーカから出力する際の音響設定情報と、識別情報とが対応付けられた音響設定情報ファイルから、受け付けた識別情報に対応する音響設定情報を読み出す音響設定情報読み出し手段と、読み出した音響設定情報を用いて、読み出した音楽データを処理して、スピーカに出力する手段とを備えることを特徴とする。
【０００９】
本発明に係る音楽データ出力装置は、聴者の着座位置に関する情報を受け付ける手段をさらに備え、音響設定情報ファイルは、識別情報及び着座位置情報に対応づけて音響設定情報が記憶してあり、音響設定情報読み出し手段は、受け付けた識別情報及び着座位置情報に対応する音響設定情報を音響設定情報ファイルから読み出すよう構成してあることを特徴とする。
【００１０】
本発明に係る音楽データ出力装置は、音楽データファイル及び音響設定情報ファイルを格納する格納部を更に備えることを特徴とする。
【００１１】
本発明にあっては、音楽データ出力装置は、まず少なくとも１人の聴者を特定する識別情報を受け付ける。音楽データファイルには、識別情報と音楽データとが対応付けられて記憶されている。識別情報を受け付けた場合、受け付けた識別情報に対応する音楽データが音楽データファイルから読み出される。これにより、記憶部に複数の聴者が記憶した大量の音楽データが存在する場合でも、聴者に関連づけられた曲だけが再生される。また、音響設定情報ファイルには、識別情報と音楽データに基づく音響をスピーカから出力する際の音響設定情報とが対応付けられて記憶されている。識別情報を受け付けた場合、音響設定情報ファイルから、受け付けた識別情報に対応する音響設定情報が読み出される。そして、この読み出した音響設定情報を用いて、読み出した音楽データを処理し、スピーカへ出力するようにしたので、聴者の好みの曲を、その聴者によりカスタマイズされた環境下で再生することが可能となる。
【００１２】
また、本発明にあっては、音楽データ出力装置は聴者の着座位置に関する情報を受け付ける。音響設定情報ファイルには、識別情報及び着座位置情報に対応づけて音響設定情報が記憶されている。識別情報及び着座位置情報を受け付けた場合、これらに対応する音響設定情報を音響設定情報ファイルから読み出し、この読み出した音響設定情報に基づいて、読み出した音楽データを処理して、スピーカへ出力するようにしたので、聴者の着座位置に応じて最適な音楽環境を提供することが可能となる。
【発明の効果】
【００１３】
本発明にあっては、聴者を特定する識別情報を用いて大量の音楽データを管理するので、記憶部に複数の聴者が記憶した大量の音楽データが存在する場合でも、聴者に関連づけられた曲だけを再生することが可能となる。また、識別情報に対応する音響設定情報に基づく音楽データの出力を可能としたので、聴者の好みの曲を、その聴者により好みの音楽環境で再生することが可能となる。
【００１４】
また本発明にあっては、識別情報及び着座位置情報に対応する音響設定情報に基づく音楽データの出力を行うので、聴者の着座位置に応じた最適な音楽空間を提供することが可能となる等、本発明は優れた効果を奏する。
【発明を実施するための最良の形態】
【００１５】
（実施の形態１）
以下本発明をその実施の形態を示す図面に基づいて詳述する。図１は、本発明にかかる音楽データ出力装置のハードウェア構成を示すブロック図である。なお、以下では音楽データ出力装置１を自動車内に設置されるカーオーディオであるものとして説明するが、この形態に限定されるものではなく、例えば家庭内に設置されるオーディオ装置であってもよい。
【００１６】
音楽データ出力装置１は、バス１７を介してＣＰＵ(Central Processing Unit)１１、入力部１３，表示部１４，記憶部１５，ＲＡＭ(Random Access Memory)１２，通信部１６、リーダ１９及び出力部１８等が接続されている。
【００１７】
ＣＰＵ１１は、バス１７を介して音楽データ出力装置１の上述したハードウェア各部と接続されていて、それらを制御すると共に、ＲＡＭ１２に格納された制御プログラムに従って、種々のソフトウェア的機能を実行する。制御プログラムは、Ｃ言語等のプログラミング言語で記述されている。入力部１３及び表示部１４は例えばタッチパネル等により構成され、入力部１３から入力された情報はＣＰＵ１１へ出力され、また各情報はＣＰＵ１１からの指示により表示部１４に表示される。通信部１６は、自動車内の他の電子制御ユニット（図示せず）にＣＡＮ(Control Area Network)を介して接続されており、他の電子制御ユニットと音楽データ出力装置１との間の情報の送受信を行う。
【００１８】
出力部１８はＤ／Ａコンバータ及びアンプを含んで構成され自動車内のスピーカ１８１〜１８４に接続されている。出力部１８はＣＰＵ１１から出力される音楽データを、音響設定情報に基づきデータ処理を加え、データ処理後の音楽データをスピーカ１８１〜１８４へ出力する。自動車内のスピーカ１８１〜１８４は、それぞれ前席左側（ＦＬ）、前席右側（ＦＲ）、後席左側（ＲＬ）及び後席右側（ＲＲ）に配置さる。以下では前席左側（ＦＬ）のスピーカをスピーカＦＬ１８１、前席右側（ＦＲ）のスピーカをスピーカＦＲ１８２、後席左側（ＲＬ）のスピーカをスピーカＦＬ１８３（ＲＬ）、及び、後席右側（ＲＲ）のスピーカをスピーカＲＲ１８４として説明する。なお、スピーカの数、配置及び設定はこれに限るものではなく、例えばウーファー等をさらに設置してもよい。また、音響設定情報とは、各スピーカ１８１〜１８４からの音響出力時の音場形成及び／または音響調整に必要な情報であって、例えば、スピーカ１８１から聴者位置までの距離及び／または音響の周波数帯域毎の出力レベルである。
【００１９】
リーダ１９は挿入されたＣＤ(Compact Disc：登録商標)等の記録媒体の読み取りを行う。記憶部（格納部）１５はハードディスク等で構成され、音楽データファイル１５１及び音響設定情報ファイル１５２が格納される。
【００２０】
図２は音楽データファイル１５１のレコードレイアウトを示す説明図である。音楽データファイル１５１は音楽データフィールド及び識別情報フィールドを含んで構成される。音楽データフィールドには音楽データＡ，Ｂ，Ｃ・・・が記憶されている。リーダ１９に挿入された記録媒体に記録された音楽データはＣＰＵ１１の指示により読み取られ、記憶部１５の音楽データファイル１５１内に記憶される。識別情報フィールドには聴者を特定するための情報が、音楽データに対応づけて記憶されている。例えば音楽データＡには聴者１１１を示す識別情報「１１１」及び聴者２２２を示す識別情報「２２２」が対応づけて記憶されており、また音楽データＦに対応づけて聴者３３３を示す識別情報「３３３」が記憶されている。
【００２１】
識別情報の入力は入力部１３から行う。図３は識別情報を入力する際のイメージを示す説明図である。音楽データＡが音楽データファイル１５１に記憶された後、ＣＰＵ１１は表示部１４に識別情報の入力を受け付ける画面を記憶部１５から読み出して表示する。聴者は音楽データと自身の識別情報とを関連づけるために識別情報を入力部１３から入力する。入力部１３から入力された識別情報は、ＣＰＵ１１により受け付けられ、ＣＰＵ１１は、受け付けた識別情報を音楽データファイル１５１の識別情報フィールドに音楽データに対応づけて記憶する。識別情報の入力は数字の他、ひらがな、英字等により入力してもよい。
【００２２】
本実施の形態においては聴者を特定する識別情報を数字等の文字情報として説明しているが、これに限定されるものではない。例えば、指紋センサ（図示せず）及び指紋と聴者とを特定するデータベース（図示せず）を用意しておき、識別情報として指紋の入力を受け付けるほか、聴者の音声等の生体情報を用いるようにしてもよい。さらに、自動車内に設置される複数のパワーシートメモリースイッチ（図示せず）から入力される識別番号を識別情報として用いてもよい。すなわち、パワーシートメモリースイッチから出力される識別番号は通信部１６を介してＣＰＵ１１へ受け付けられ、ＣＰＵ１１はこの受け付けた識別番号を識別情報として音楽データに対応づけて音楽データファイル１５１に記憶する。
【００２３】
図４は音響設定情報ファイル１５２のレコードレイアウトを示す説明図である。音響設定情報ファイル１５２はＢＡＳＳフィールド、ＴＲＥＢＬＥフィールド、サラウンドモードフィールド及び着座位置情報フィールドを含んで構成される。識別情報フィールドには各聴者の識別情報が記憶されており、各識別情報に対応してＢＡＳＳ等の音響設定情報が記憶されている。ＢＡＳＳフィールドには、識別情報に対応させて低音域調整用のレベルが記憶されている。
【００２４】
ＴＲＥＢＬＥフィールドには、識別情報に対応して高音域調整用のレベルが記憶されている。サラウンドモードフィールドには、識別情報に対応して聴者の好みのサラウンドモードが記憶されている。各モードは例えばロックモード、クラッシックモード、ＪＡＺＺモード等が存在し、モード毎にそれぞれ音域及び位相等が設定されている。
【００２５】
図５は音響設定情報を入力する際のイメージを示す説明図である。音響設定情報を設定する場合、ＣＰＵ１１は図５に示す入力画面を記憶部１５から読み出し、表示部１４へ出力する。聴者は音響設定情報を入力部１３から入力し、入力された音響設定情報はＣＰＵ１１に受け付けられ、音響設定情報ファイル１５２に記憶される。入力にあたっては、ＢＡＳＳ、ＴＲＥＢＬＥ及びサラウンドモードを入力部１３から選択入力する。ＢＡＳＳ等の音響設定情報は上下ボタンによりレベルを選択して希望する値を選択する。
【００２６】
図４において、着座位置情報フィールドには、着座位置情報及び識別情報に対応づけてスピーカＦＬ１８１、スピーカＦＲ１８２、スピーカＲＬ１８３及びスピーカＲＲ１８４それぞれに対する音響設定情報が記憶されている。図６は着座位置情報及び識別情報に対応する音響設定情報を入力する際のイメージを示す説明図である。ＣＰＵ１１は着座位置情報及び識別情報に対応する音響設定情報の入力を可能にするため、入力画面を記憶部１５から読み出し、表示部１４へ出力する。聴者は識別情報が正しいことを確認して、着座位置情報及び音響設定情報を入力部１３から入力する。入力された音響設定情報は、音響設定情報ファイル１５２に、識別情報及び着座位置情報に対応づけて記憶される。
【００２７】
着座位置に応じて最適な音響を構築すべく、聴者は着座位置情報を入力し、スピーカＦＬ１８１、スピーカＦＲ１８２、スピーカＲＬ１８３及びスピーカＲＲ１８４それぞれに対する音響設定情報を入力する。図６の例においては、着座位置としてＦＲ（前席右側）が選択されており、スピーカＦＬ１８１（前席左側）の出力レベルは通常よりも低い−１であり、スピーカＦＲ１８２（前席右側）は通常よりも高い＋１、スピーカＲＬ１８３（後席左側）は通常よりも低い（−２）、さらにスピーカＲＲ１８４（後席右側）は通常よりも低い−２と設定されている。
【００２８】
聴者はＦＬ（前席左側）、ＲＬ（後席左側）及びＲＲ（後席右側）についても同様に着座位置情報を指定した上で音響設定情報を入力する。なお、本実施の形態においては、着座位置に対応する音響設定情報として、各スピーカから出力される音のレベルを設定するようにしたが、これに限るものではなく、前席のスピーカＦＬ１８１及びスピーカＦＲ１８２だけに、後席とは異なるフィルター処理を施す等、他の音響設定情報を入力できるようにしても良いことはもちろんである。
【００２９】
図７は識別情報及び着座位置情報を入力する際のイメージを示す説明図である。自動車のイグニッションがオンとされた場合、ＣＰＵ１１は図７に示す初期画面を記憶部１５から読み出して表示部１４へ出力する。表示部１４には、識別情報及び着座位置情報を入力する画面が表示される。聴者は識別情報を入力するとともに運転中の着座位置情報を入力する。入力部１３から入力された識別情報及び着座位置情報はＣＰＵ１１により受け付けられる。図７の例では、聴者として識別情報「１１１」が入力され、着座位置情報として前席右側「ＦＲ」が入力されている。
【００３０】
図８は識別情報を記憶する際の手順を示すフローチャートである。リーダ１９に記録媒体が挿入された場合、ＣＰＵ１１は音楽データを読み込み（ステップＳ８１）、音楽データファイル１５１に記憶する（ステップＳ８２）。ＣＰＵ１１は図８に示す識別情報を入力するための画面を記憶部１５から読み出し、表示部１４へ出力する。表示部１４は出力された識別情報を入力するための画面を表示する（ステップＳ８３）。ＣＰＵ１１は入力部１３から入力された識別情報を受け付け（ステップＳ８４）、識別情報に対応させて、音楽データを音楽データファイル１５１内に記憶する（ステップＳ８５）。
【００３１】
図９は音響設定情報を記憶する際の手順を示すフローチャートである。ＣＰＵ１１は入力部１３から入力された識別情報を受け付ける（ステップＳ９１）。ＣＰＵ１１は記憶部１５に記憶された音響設定情報を入力するための画面を表示部１４へ出力する。表示部１４は出力された音響設定情報を入力するための画面を図５及び図６のごとく表示する（ステップＳ９２）。聴者は音響設定情報を入力部１３から入力する。ＣＰＵ１１は入力された音響設定情報を受け付ける（ステップＳ９３）。さらに、聴者は着座位置情報を入力部１３から入力する。
【００３２】
入力部１３から入力された着座位置情報はＣＰＵ１１に受け付けられる（ステップＳ９４）。続いて聴者は着座位置情報に対応する音響設定情報を入力部１３から入力する。ＣＰＵ１１は入力部１３から入力された着座位置情報に対応する音響設定情報を受け付ける（ステップＳ９５）。ＣＰＵ１１は識別情報及び着座位置情報に対応付けて音響設定情報を音響設定情報ファイル１５２に記憶する（ステップＳ９６）。
【００３３】
図１０は本発明にかかる音楽データ出力処理の手順を示すフローチャートである。聴者が自動車に搭乗した後、ＣＰＵ１１は識別情報の入力を促すべく、記憶部１５に記憶された識別情報入力用画面を読み出し、表示部１４へ出力する。表示部１４へは出力された識別情報の入力画面が表示される。聴者は入力部１３から識別情報を入力する。ＣＰＵ１１は入力部１３から入力された識別情報を受け付け（ステップＳ１０１）、受け付けた識別情報を元に音楽データファイル１５１を検索し、これに対応する音楽データの曲番号等の曲情報を読み出し（ステップＳ１０２）、これら読み出した音楽データの曲番号等の曲情報一覧を表示部１４へ出力して表示する。
【００３４】
ついで、ＣＰＵ１１は入力された識別情報を元に音響設定情報ファイル１５２を検索し、音響設定情報を読み出す（ステップＳ１０３）。ＣＰＵ１１は入力部１３から着座位置情報が所定時間内に入力されたか否かを判断する（ステップＳ１０４）。所定時間内に着座位置情報が入力部１３から入力された場合（ステップＳ１０４でＹＥＳ）、ＣＰＵ１１は着座位置情報を受け付け（ステップＳ１０５）、入力された識別情報及び着座位置情報を元に音響設定情報ファイル１５２を検索し、識別情報及び着座位置情報に対応する音響設定情報を読み出す（ステップＳ１０６）。
【００３５】
所定時間内に着座位置情報の入力がない場合（ステップＳ１０４でＮＯ）、ステップＳ１０５及びステップＳ１０６の処理をスキップする。ＣＰＵ１１は、読み出した曲情報で特定される音楽データ及び音響設定情報を出力部１８へ出力する（ステップＳ１０７）。出力部１８は出力された音響設定情報に基づき音響の設定を行い（ステップＳ１０８）、スピーカＦＬ１８１、スピーカＦＲ１８２、スピーカＲＬ１８３及びスピーカＲＲ１８４から音楽データを再生出力する（ステップＳ１０９）。
【００３６】
（実施の形態２）
実施の形態２は音楽データ出力装置１と外部再生装置とが接続された形態である。図１１は実施の形態２のハードウェア構成を示すブロック図である。内部にハードディスクまたはメモリが格納された可搬型の外部再生装置２はＵＳＢ(Universal Serial Bus)ポート１１０を介して音楽データ出力装置１に相互に通信可能に接続されている。外部再生装置２は音楽データの記憶及び再生が可能であり、実施の形態１で説明した音楽データファイル１５１を記憶している。
【００３７】
聴者は識別情報に対応づけられる音楽データが音楽データファイル１５１に記憶された可搬型の外部再生装置２を、自動車内に持ち込みＵＳＢポート１１０にＵＳＢケーブルを用いて接続することにより実施の形態１と同様に、自動車内での音楽データの出力が可能となる。実施の形態２においては、音楽データファイル１５１が外部再生装置２内に格納されており、音楽データ出力装置１にはこれが格納されていない構成を示すが、外部再生装置２の接続後、音楽データファイル１５１の記憶内容を読み取って音楽データ出力装置１の記憶部１５内に格納するようにしても良い。
【００３８】
図１２は実施の形態２にかかる音楽データ出力処理の手順を示すフローチャートである。音楽データ出力装置１のＣＰＵ１１は入力部１３から入力された識別情報を受け付ける（ステップＳ１２１）。音楽データ出力装置１は入力された識別情報を外部再生装置２へ出力する（ステップＳ１２２）。外部再生装置２は出力された識別情報に対応する音楽データを、音楽データファイル１５１を参照して読み出す（ステップＳ１２３）。
【００３９】
外部再生装置２は読み出した音楽データを音楽データ出力装置１へ出力する（ステップＳ１２４）。音楽データ出力装置１のＣＰＵ１１は出力された音楽データを記憶部１５に再生出力対象として記憶する（ステップＳ１２５）。以降の音響設定情報の読み出し処理及び着座位置情報の読み出し処理は、図１０のステップＳ１０３以降と同様であるのでその説明を省略する。このように、可搬型の外部再生装置２を自動車内に持ち込んだ場合でも、聴者の好みの曲だけが、聴者の嗜好及び着座位置に応じて最適な音響で手軽に楽しむことが可能となる。
【００４０】
本実施の形態２は以上の如き構成としてあり、その他の構成及び作用は実施の形態１と同様であるので、対応する部分には同一の参照番号を付してその詳細な説明を省略する。
【００４１】
本発明に係る音楽データ出力方法及び装置は、聴者は嗜好に応じた音楽を、該聴者の嗜好に応じた環境下で再生可能なオーディオ機器等に適用される。
【図面の簡単な説明】
【００４２】
【図１】本発明にかかる音楽データ出力装置のハードウェア構成を示すブロック図
【図２】音楽データファイルのレコードレイアウトを示す説明図
【図３】識別情報を入力する際のイメージを示す説明図
【図４】音響設定情報ファイルのレコードレイアウトを示す説明図
【図５】音響設定情報を入力する際のイメージを示す説明図
【図６】着座位置情報及び識別情報に対応する音響設定情報を入力する際のイメージを示す説明図
【図７】識別情報及び着座位置情報を入力する際のイメージを示す説明図
【図８】識別情報を記憶する際の手順を示すフローチャート
【図９】音響設定情報を記憶する際の手順を示すフローチャート
【図１０】本発明にかかる音楽データ出力処理の手順を示すフローチャート
【図１１】実施の形態２のハードウェア構成を示すブロック図
【図１２】実施の形態２にかかる音楽データ出力処理の手順を示すフローチャート
【符号の説明】
【００４３】
１      音楽データ出力装置
２      外部再生装置
１１    ＣＰＵ
１３    入力部
１４    表示部
１５    記憶部（格納部）
１８    出力部
１５１  音楽データファイル
１５２  音響設定情報ファイル
【図１】
2007116410.tif 000003
【図２】
2007116410.tif 000004
【図３】
2007116410.tif 000005
【図４】
2007116410.tif 000006
【図５】
2007116410.tif 000007
【図６】
2007116410.tif 000008
【図７】
2007116410.tif 000009
【図８】
2007116410.tif 000010
【図９】
2007116410.tif 000011
【図１０】
2007116410.tif 000012
【図１１】
2007116410.tif 000013
【図１２】
2007116410.tif 000014